(57)【要約】      （修正有）【課題】回転体と静止体、相互に取り付けた永久磁石を利用して、回転体を回転させる。【解決手段】回転軸１と円板２で構成された回転体、静止体と静止体に取り付けられたレバー装置により円板の磁石と静止体側のレバー装置のレバーに取り付けられた磁石の反発力を応用する。回転体の円板の周辺に等角度で磁石３を設置する。同時に光を発する光源体４を磁石と同じ数、等間隔で設置する。円板の磁石に対応する静止体側の磁石は静止体床板に設置したレバー装置のレバー先端に取り付けてある。円板の光源体には静止体側に設置された光センサースイッチが対応する。レバー装置には、レバー、レバーの先端に磁石、レバーを上方に保つためのバネ、レバーを下方位置に下げるための鉄板、鉄板を吸引するための電磁石が装備されている。【選択図】図１
2018153065.tif 000002
【特許請求の範囲】
【請求項１】
回転軸と円板で構成された回転体、静止体と静止体に取り付けられたレバー装置により円板の磁石と静止体側のレバー装置のレバーに取り付けられた磁石の反発力を応用するものである。
回転体の円板の周辺に等角度で磁石を設置する。同時に光を発する光源体を磁石と同じ数、等間隔で設置する。円板の磁石に対応する静止体側の磁石は静止体床板に設置したレバー装置のレバー先端に取り付けてある。円板の光源体には静止体側に設置された光センサースイッチが対応する。
レバー装置には、レバー、レバーの先端に磁石、レバーを上方に保つためのバネ、レバーを下方位置に下げるための鉄板、鉄板を吸引するための電磁石が装備されている。レバーは静止体床板にブラケットで一方を保持されている。さらにレバーの動きを定位置に保つためレバー用のガイドが設けてある。
レバーの先端に取り付けられた磁石は、レバー装置のバネにより、円板の磁石の回転軌道外に保持される。同時に回転体の磁石がレバー装置を通過した時点で、レバー装置に設置された電磁石は、円板上の光源体の光により、静止体側の光センサースイッチが反応することで、電流が流れ、作動する。レバーに取り付けられた鉄板が吸引されてレバーが下がり、レバー付きの磁石を、円板の磁石の回転軌道内に投入する。この瞬間に相互の磁石の間には反発力が生じて、円板が回転する。
この電磁石を作動させるためには、電磁石の回路に光センサースイッチを挿入している。回転体の円板の周辺の決められた位置に設けてある光源体からの光により光センサースイッチが電磁石の回路をＯＮにすることで、回路に電流が流れて、電磁石が作動する。光が当たらなくなると光センサースイッチはＯＦＦになり、電磁石が作動しなくなる仕組みである。
このように静止体側から、レバーの先端に取り付けた磁石をバネと電磁石の働きで上下させ、回転体の円板に設置された磁石に近づけることで、相互の反発力を得て、円板を回転させる回転体。
【発明の詳細な説明】
【技術分野】
【０００１】  本発明は、最近の永久磁石の技術革新により磁力が強力になっていること。同時に半導体の光センサーの機能も向上していること。この２点から従来のモータの構造とは違った構造を有する回転体に関するものである。イメージする回転体はタービンのような回転体である。
その回転体は回転軸と円板で構成され、円板の周辺に取り付けられた磁石とそれに対応する静止体の磁石を近づけることで、相互の反発力により回転するものである。
【背景技術】
【０００２】  現在採用されている回転体は一方が永久磁石で、他方が電磁石で構成されている。双方が永久磁石である回転体は実用化されていない。
【先行技術文献】
【０００３】  特になし
【発明の概要】
【発明が解決しようとする課題】
【０００４】  回転体と静止体、相互に取り付けた永久磁石を利用して、回転体を回転させるためには、次のような欠陥があり、利用できなかった。
１）磁力が弱い。
２）磁石の移動が容易でない。
３）磁力を継続的に維持できない。
【課題を解決するための手段】
【０００５】  本発明は、上記課題に対して、次のよう発想にて解決した。
磁石の磁力が強力になっているので、この磁力の反発力を利用すること。さらに反発力を大きくするために、磁石を回転体の円板周辺に等角度で、複数個設置する。それに対応する静止体側の磁石も同数として、同時に反発力を発生する仕組みにした。
磁石の移動は、静止体側の磁石で行うものとして、磁石をレバーの先端に取り付け、レバーを上下させることとした。レバーの上下運動はレバーにつけたバネによりレバーを円板の磁石の軌道外に保持する。下げる仕組みはレバーにつけた鉄板と鉄板の下部に設置した電磁石の作用により、鉄板を吸引させて、レバーを下げるもので、その結果、円板の磁石の軌道内にレバー付き磁石を投入できる。
磁力を継続的に維持するために、円板の周辺に設けた磁石の数と同じ数の光源体を設ける。静止体側には、その光源体に対応する光センサースイッチを設け、これを電磁石の回路に挿入する。光センサースイッチは光源体の光により、電磁石の回路をＯＮし、光が当たらないときは、回路をＯＦＦにする仕組みとする。
回転体が外部のバッテリーによりモータを介し動くと、円板に取り付けられた磁石がレバーを通過した時点で、それぞれの光センサースイッチが光源体からの光に反応して、電磁石が作動する。円板周辺の磁石に対応するレバーが下がり、対応する相互の磁石の間に反発力が発生する。この反発力が円板の磁石に接線方向の力を与えることで、円板は自力で回転を始める。円板が回転することで、光源体は次の光センサースイッチに光を放つことで、レバーが下げられ、対応する相互の磁石の間に反発力が発生する。このように、回転が継続的に維持できることになる。
それぞれの考えを詳しく説明する。
回転体は円板２と回転軸１で構成する。その円板２の周辺に等角度で円板用磁石３を取り付ける。同時に円板２の周辺に円板用磁石３と同じ数の光源体４を等間隔で取り付ける。相対する静止体床面１０には、レバー１３の先端に永久磁石１６を取り付けたレバー装置１１を円板用磁石３に対応する位置に取り付ける。レバー装置１１には、レバー１３にバネ１７を取り付けて、このバネ１７によりレバー１３は円板用磁石３の回転軌道外の上部に保持される。反対にレバー１３を下げて、円板用磁石３の回転軌道に投入するために、レバー１３に、鉄板１９を取り付けて、円板用磁石３がレバー装置１１を通過した瞬間に、鉄板１９の下に設置してある電磁石２０が作動する仕組にした。電磁石２０が作動するとレバー１３付の鉄板１９が吸引力により、レバー１３が下に動くことになる。円板用磁石３とレバー１３付の永久磁石１６が近づくことになり、相互の磁石の反発力により円板２の永久磁石９は接線方向に反力を得て、円板２が回転する。１組の磁石では力が弱いので、相対する全組が同時に反発することで回転体は回転する。
レバー１３を下げるための仕組みは、電磁石２０を採用しているが、その仕組みは、電磁石２０の回路はバッテリー２３により作動するようにした。この回路に光センサースイッチ１２を挿入して、円板２に取り付けてある光源体４からの光を受けて、電磁石２０の回路をＯＮにすることで回路に電流が流れる。その結果、電磁石２０が作動して、レバー１３に取り付けられた鉄板１９を吸引し、レバー１３を下げることになる。対応する永久磁石９と永久磁石２４が近づくことで、反発力を得て、円板２が回転する。
これまで、磁石の反発力と吸引力を交互に利用して、回転体を考えてきたがうまくいかなかった。そこで、少し考え方を変えてみた。風車やタービンの仕組みを考えて、回転に必要な力を継続的に回転体に与える方法を考えたとき、回転体の周辺に取り付けた磁石に、静止体からの磁石を定期的に回転体の磁石に近づけてやればよい。
同時に近年、利用されているセンサーの働きを応用することで新しい回転体が可能になる。
【発明の効果】
【０００６】  以上に述べたように本発明は、回転体の円板の周辺に取り付けた磁石と、静止体に取り付けたレバー装置の磁石が、回転体の円板に取り付けた光源体の光により、電磁石の回路に組み込まれた光センサースイッチをＯＮ、ＯＦＦにすることで、電磁石の回路に電流を流し、電磁石を作動させ、レバーに取り付けられた鉄板を吸引する。レバーが下がり、レバーの先端に取り付けた磁石が円板の磁石に近づくことで相互の磁石の反発力により、回転力を得るものである。このように永久磁石の反発力を利用する回転体が出来れば、燃料を海外に依存している我国にとって大変役立つものである。同時に世界の発展途上国に供給することで世界の人々にも貢献できる。さらに現在、この日本の景観を害している電柱も不要となり景観がよくなる。
この機関の出力は小さいけれど、出力を大きくするためには、装置の直列結合、並列結合などが考えられる。そうすることで、家庭の発電機、小型自動車、レジャーボートなどの機関としても利用できる。
同時に環境上、排出するものがないため、地球の温暖化にも貢献できる。
【図面の簡単な説明】
【０００７】
【図１】本発明の回転体を示したものである。側面図とその平面図を示している。円板用磁石の詳細も示している。
【図２】本発明の静止体を示したものである。側面図とその平面図を示している。
【図３】本発明のレバー装置を示したものである。
【図４】本発明の円板上の光源体、静止体床面に設けた光センサースイッチと電磁石の配線図を示したものである。
【図５】本発明の４組の回転体を結合したものである。
【発明を実施するための形態】
【０００８】  以下、本発明の実施の形態を図面に従って説明する。
図１は回転体を示している。側面図、平面図と円板用磁石３を示す。
側面図には回転軸１、円板２、円板用磁石３、光源体４、下部軸受５、上部軸受６を示しており、円板用磁石３は円板２の円周に等角度で取り付けられている。光源体４は電池式か導線により発光するもので、円板用磁石３と同じように等間隔で円板２の周辺に設置されている。円板用磁石３は磁石ケーシング７、磁気遮蔽筒８と永久磁石９により構成されている。磁気遮蔽筒８は対応する磁石間の磁力の影響を避けるためのものである。
図２は静止体を示し、側面図と平面図を示している。
静止体床板１０には、回転体の円板用磁石３に対応する位置に、レバー装置１１が取り付けてある。同様に回転体の円板２の光源体４に対応する位置に、光センサースイッチ１２が設けてある。
図３はレバー装置１１の側面図と平面図を示している。
レバー装置１１には、レバー１３、一方はブラケット２１にピン２２で保持されている。他方は永久磁石１６を格納したケーシング１４で構成され、平時はバネ１７により、円板用磁石３の回転軌道より上部に保たれている。ガイド１８は、レバー１３の動きを保持するためと、双方の磁力による反力を支持するためのものである。さらにレバー１３にはレバー１３を下げるため、円板用磁石３がレバー装置１１の取り付け位置を通過した時点で、円板２に取り付けられた光源体４からの光により、光センサースイッチ１２が反応して、電磁石２０の回路をＯＮにすることで、レバー装置１１の下部に取り付けてある電磁石２０が働いて、レバー１３に取り付けてある鉄板１９を吸引する。それでレバー１３は下がり、先端の永久磁石１６を円板２の永久磁石９に近づくことになる。磁気遮蔽筒１５は対応する磁石間の磁力影響を避けるためのものである。
図４は本発明の電磁石２０、光源体４、光センサースイッチ１２、バッテリー２３の配線図を示したものである。
図５は本発明を発電機に応用する目的で、４段の回転体を結合させたものである。Ａ−Ａ断面には発電機３３、Ｂ−Ｂ断面は回転体の円板２、静止体床板１０、Ｃ−Ｃ断面は回転体を動かすためのモータ２７、歯車２８、歯車２９を示している。モータ２７を動かすためのバッテリー３０も示した。
【符号の説明】
【０００９】  １  回転軸              ２  円板                ３  円板用磁石
４  光源体              ５  下部軸受            ６  上部軸受
７  磁石ケーシング      ８  磁気遮蔽筒          ９  永久磁石
１０  静止体床板        １１  レバー装置        １２  光センサースイッチ
１３  レバー            １４  ケーシング        １５  磁気遮蔽筒
１６  永久磁石          １７  バネ              １８  ガイド
１９  鉄板              ２０  電磁石            ２１  ブラケット
２２  ピン              ２３  バッテリー        ２４  導線
２５  発電機            ２６  ギアボックス      ２７  モータ
２８  歯車              ２９  歯車              ３０  バッテリー
【図１】
2018153065.tif 000003
【図２】
2018153065.tif 000004
【図３】
2018153065.tif 000005
【図４】
2018153065.tif 000006
【図５】
2018153065.tif 000007